(57)【要約】【課題】利用者の美容の目的や用途に応じて、低周波パルスや超音波や電子式イオン美容を単独／併用で使用して美容トリートメントができる美容器を実現する。【解決手段】美容器には親機ユニットと子機ユニット２が収納されている。親機ユニットは、低周波パルスによって生体を刺激して美容を行うＥＭＳ式美容機能と、超音波によって生体にミクロマッサージ波を与えて美容を行うソニック式美容機能と、生体に電位を与えてマイナスイオンを発生させる電位式イオン美容機能とを備えている。二次電池を内蔵して持ち運び自在な子機ユニット２はＥＭＳ式美容機能のみを備えている。付属品収納部から取り出したＥＭＳベルトやソニックプローブやイオンマットを親機ユニットまたは子機ユニット２の所定の端子に接続すれば、ＥＭＳ美容、ソニック美容、電位式イオン美容を単独または複合的に行うことができる。【選択図】        図２
2005013592.tif 000002
【特許請求の範囲】
【請求項１】
低周波パルスによって生体を刺激して美容トリートメントを行うパルス式美容手段と、
超音波によって生体にミクロマッサージ波を与えて美容トリートメントを行う超音波式美容手段と、
電位を身体に付加することにより体内に発生するマイナスイオンの作用によって体調を整える電位式イオン美容手段と、
を備えることを特徴とする美容器。
【請求項２】
親機ユニットと子機ユニットとによって構成され、
前記親機ユニットは、前記パルス式美容手段と前記超音波式美容手段と前記電位式イオン美容手段とを備え、
前記子機ユニットは前記パルス式美容手段を備える
ことを特徴とする請求項１に記載の美容器。
【請求項３】
前記親機ユニットは、前記パルス式美容手段と前記超音波式美容手段と前記電位式イオン美容手段とを各々単独で動作させることができると共に所望の組み合わせで動作させることができることを特徴とする請求項２に記載の美容器。
【請求項４】
前記親機ユニットは、前記超音波式美容手段と前記電位式イオン美容手段との組み合わせ動作、及び前記パルス式美容手段と前記電位式イオン美容手段との組み合わせ動作ができないように構成されていることを特徴とする請求項３に記載の美容器。
【請求項５】
前記子機ユニットは前記親機ユニットが備える収納部に着脱自在に収納され、該子機ユニットの電源となる二次電池は、該子機ユニットが前記収納部に収納されたとき充電可能な状態となることを特徴とする請求項２〜請求項４の何れかに記載の美容器。
【請求項６】
前記子機ユニットは、前記親機ユニットの収納部から取り外されて単独の状態で前記パルス式美容手段を動作できることを特徴とする請求項２〜請求項５の何れかに記載の美容器。
【発明の詳細な説明】
【０００１】
【発明の属する技術分野】
本発明は、電気エネルギーを利用して生体を刺激して健康マッサージや美容トリートメントを行う美容器に関するものである。
【０００２】
【従来の技術】
従来より、低周波パルス電圧を使用して身体の所定の部位を刺激して健康マッサージや美容トリートメントを行うパルス式美容器や、超音波によって肌にミクロマッサージ波を与えて刺激し美容トリートメントを行う超音波式美容器、電位により体内の血流をマイナスイオンにより浄化する作用を活用し、健康状態をつくり美容の基礎効果をもたらす電位式イオン美容器などが知られれている。例えば、特許文献１に開示されている低周波パルス装置などはパルス式美容器に利用されている。この技術は、生体の所定部位に電極マットを接触させて低周波パルス電流を印加すると、利用者の生体をマッサージしてトリートメントを行うと共に基礎代謝に基づくカロリー消費量が計算されるので、トリートメント効果をより明確に把握することができる。また、下記の特許文献２には、身体の凹凸変化が大きいウエスト部位に電極ベルトを当てて低周波パルス電圧を印加することによって腰部、臀部、腹部などを効果的にトリートメントする技術が開示されている。さらに、超音波と電位式イオン美容器との２つの機能を備えた美容器なども市販されている。
【０００３】
【特許文献１】
特開２００３−１０１４５号公報（段落番号００４９〜００５９、図３）
【特許文献２】
特開２００２−３４５９７９号公報（段落番号００３３〜００４０、図１、図７）
【０００４】
【発明が解決しようとする課題】
しかしながら、上記のパルス式美容器、超音波式美容器、電位式イオン美容器、あるいはこれらの一部を組み合わせたものは市販されて利用されているが、それぞれの美容器によって美容効果が異なるので、利用者はそれぞれの用途に応じて個別の美容器を使用しなければならない。また、肌をミクロマッサージしながら電位式イオン美容を行うので、肌の深部まで水分や栄養部を浸透させる美容トリートメント効果は大きいが、パルス波による健康マッサージや美容トリートメントを行うことができないなど多機能な用途に利用することはできない。
【０００５】
本発明は、上述の課題に鑑みてなされたものであり、利用者の美容と健康増進の用途に応じて、低周波パルスや超音波や電位式イオン美容器を単単独または併用して使用して健康マッサージや美容トリートメントを行うことができる多機能な美容器を提供することを目的とする。
【０００６】
【課題を解決するための手段】
上記の目的を達成するため、本発明の美容器は、低周波パルスによって生体を刺激して美容トリートメントを行うパルス式美容手段と、超音波によって生体にミクロマッサージ波を与えて美容トリートメントを行う超音波式美容手段と、マイナスイオンの作用によって化粧品の有効成分を生体の深部に浸透させて美容トリートメントを行う電位式イオン美容手段とを備えることを特徴とする。本発明の美容器によれば、一台の美容器にパルス式美容手段と超音波式美容手段と電位式イオン美容手段とを備えているので、美容の用途や目的に応じてそれぞれの美容手段を単独で動作させたり組み合わせて動作させることができる。したがって、効率的かつ効果的な美容トリートメントを行うことができると共に、顔や腕や足など身体の一部だけでなく生体全体を総合的に美容トリートメントすることができる。
【０００７】
また、本発明の美容器は、親機ユニットと子機ユニットとによって構成され、親機ユニットはパルス式美容手段と超音波式美容手段と電位式イオン美容手段とを備え、子機ユニットはパルス式美容手段を備えることを特徴とする。本発明の美容器によれば、それぞれ独立した構成の親機ユニットと子機ユニットとを備えていて、総合的に美容トリートメントを行うときは親機ユニットを使い、パルス式美容手段によってウエスト用ベルトや腕用ベルトなどに低周波パルスを与えて特定部位のみを刺激するときはハンディタイプな子機ユニットを使うことができるので、極めて使い勝手のよい美容器を実現することができる。
【０００８】
また、本発明の美容器においては、親機ユニットは、パルス式美容手段と超音波式美容手段と電位式イオン美容手段とを各々単独で動作させることができると共に所望の組み合わせで動作させることができることを特徴とする。本発明の美容器によれば、親機ユニットを使えばパルス式美容手段と超音波式美容手段と電位式イオン美容手段をそれぞれ独立して使用したり各手段を組み合わせて使用したりすることができるので、美容の目的や用途に応じた使い勝手が極めてよい。
【０００９】
また、本発明の美容器においては、親機ユニットは、超音波式美容手段と電位式イオン美容手段との組み合わせ動作及びパルス式美容手段と電位式イオン美容手段との組み合わせ動作ができないように構成されていることを特徴とする。すなわち、本発明の美容器においては、安全上の理由から、電位式イオン美容手段による美容と超音波による美容の組み合わせ、及び電位式による美容と低周波パルスによる美容の組み合わせはできないようにロック機構が設けられている。その理由は、電位式イオン美容手段によって美容を行う場合は生体の下に敷くイオンマットに高電圧を印加するので、超音波式美容手段の電極やパルス式美容手段の電極に生体が接触することを防ぐためである。
【００１０】
また、本発明の美容器においては、子機ユニットは親機ユニットが備える収納部に着脱自在に収納され、子機ユニットの電源となる二次電池は、子機ユニットが収納部に収納されたとき充電可能な状態となることを特徴とする。すなわち、親機ユニットが使用されているか否かに関わらず、子機ユニットが親機ユニットの収納部に収納されていれば、電源コンセントを差し込むだけで子機ユニットの二次電池を充電することができる。したがって、子機ユニットを常に満充電にして、いつでも使用可能な状態にしておくことができる。
【００１１】
また、本発明の美容器においては、子機ユニットは、親機ユニットの収納部から取り外されて単独の状態でパルス式美容手段を動作できることを特徴とする。これによって、子機ユニットだけを単独で移動して人体の所望の位置に取り付けた電極パッドに近づけて、この電極パッドに所望のレベルの低周波パルスを印加しながら美容トリートメントを行うことができる。
【００１２】
【発明の実施の形態】
まず、本発明における美容器の概要について説明する。本発明の美容器は、低周波パルスによって生体を刺激して美容トリートメントと健康マッサージを行うパルス式美容機能と、超音波によって肌にミクロマッサージ波を与えて美容トリートメントを行う超音波式美容機能と、生体に電位を与えることにより体内にマイナスイオンを発生させて費用効果を得る電位式イオン美容機能の３つも機能を備えハンディタイプな構造になっていることを特徴とする。これによって、一台の美容器を所望の場所に移動して、美容や健康増進のための目的と用途に応じてそれぞれの美容機能を使い分けたり、あるいは複数の美容機能を併用して効果的な美容トリートメントや健康マッサージを行うことができる。
【００１３】
パルス式美容機能とは、生体に低周波パルスを与えてＥＭＳ（Ｅｌｅｃｔｒｉｃａｌ  Ｍｕｓｃｌｅ  Ｓｔｉｍｕｌａｔｉｏｎ：電気的筋肉刺激）を行う機能である。つまり、筋肉の収縮は、通常は脳からの指令が神経に達して筋肉を刺激することによって起こる。このような指令を身体の外から、例えば低周波パルスなどによって生体に人工的に与えるのがＥＭＳである。このようなＥＭＳを行うことによって本人の意志とは関係なく筋肉を収縮させることができる。脳からの指令では一度に５００回とか１０００回といった多数回の腹筋運動を行うことはできないが、ＥＭＳを行うことによって特別な努力をすることなく理想的な回数だけ筋肉を刺激させることができる。しかも、ＥＭＳは身体の部位別にトレーニングを行うことができるので、腕、太もも、ウエストなど所望の部位を引き締めることができる。例えば、ＥＭＳによる運動法では、従来の体重を重視したダイエット法ではできないような、健康にもっとも大切なウエストを引き締めたり、内臓脂肪を取って筋肉に変えたりすることなどができる。
【００１４】
超音波式美容機能とは、毎秒約１００万回のミクロマッサージ波を肌の深くまで浸透させて活性化することにより、皮膚の新陳代謝を高めて美容効果を向上させる機能である。さらに、超音波の高周波振動は老化や運動不足で衰えた肌を改善させる機能もある。また、ミクロマッサージ波は人間が行うマッサージではできない高いマッサージ周波数であるので、ミクロ刺激によって肌を効果的にトリートメントすることができる。さらに、超音波によって生体の細胞同士を摩擦させるので、摩擦熱によって体を深部から温めて新陳代謝を高めることもできる。
【００１５】
電位式イオン美容機能とは、身体に電位を与えることによって体内にマイナスイオンを発生させて美容効果を得ることを目的とするものである。また、この効果は、他の低周波、超音波美容器と組み合わせることによって相乗効果が得られるものである。
【００１６】
次に、図面を用いて本発明における美容器の実施の形態を詳細に説明する。図１、２は、本発明における美容器の回路構成を示すブロック図である。図１に示す美容器は、パルス式美容機能（以下、ＥＭＳ機能という）を実現するための電気信号、超音波式美容機能（以下、ソニック機能という）を実現するための電気信号、及び電位式イオン美容機能（以下、電位式イオン機能という）を実現するための電気信号のそれぞれを出力するための回路構成が示されているが、生体に接触して各美容機能を生体に実現するためのＥＭＳベルトやソニックプローブやイオンマットなどの付属品は示されていない。
【００１７】
図１、２において、本発明の美容器は、ＥＭＳ用の電気信号、ソニック用の電気信号、及びイオン用の電気信号を出力する親機ユニット１と、ＥＭＳ用の電気信号のみを出力する子機ユニット２とによって構成されている。親機ユニット１は、ＥＭＳ用の電気信号を生成する回路を含む主回路が形成されている親機メイン基板３、ソニック用の電気信号とイオン用の電気信号を生成する回路及び補助電源を含む補助回路が形成されている親機サブ基板４、子機２を充電するためのコネクターが形成されているコネクター基板５、イオン用の電気信号を所定の高電圧レベルに変換するイオン出力トランス６、ＡＣ１００を入力して美容器に必要なＡＣ８２Ｖ及びＡＣ２０Ｖの電圧に変換する電源トランス７、及び美容器を電気的に安全保護するためのヒューズ８によって構成されている。また、ヒューズ８を介してＡＣ１００Ｖ用のプラグ９が接続されている。
【００１８】
また、親機メイン基板３は、電源スイッチやタイマースイッチや各種モードを切り替えるための切替スイッチなどを備えるスイッチ回路１０、親機ユニット１の各部の制御を行うマイクロコンピュータ１１、各種美容機能の動作状態を表示する液晶表示部１２、警報や使用終了などを報知するブザー回路１３、ＥＭＳやソニック用の電気信号の基準周波数の信号を生成する発振子１４、美容器の親機ユニット１の使用開始時にリセットを行うリセット回路１５、各美容機能ごとに必要な電気信号の出力レベルを設定する出力レベル変換回路１６、図示しない付属品のソニックプローブが正常に接続されているか否かをチェックするソニックプローブ接続チェック回路１７、ＥＭＳ用の電気信号を制御する出力制御回路１８ａ，１８ｂ、低周波信号を制御する出力制御回路１８ｃ、ソニック用の電気信号を制御する出力制御回路１８ｄ、出力制御回路１８ａから出力されたＥＭＳ用の電気信号を定電流化してＣＨ１（チャネル１）のＥＭＳ出力端子へ送出する定電流回路１９ａ、出力制御回路１８ｂから出力されたＥＭＳ用の電気信号を定電流化してＣＨ２（チャネル１）のＥＭＳ出力端子へ送出する定電流回路１９ｂ、及び出力制御回路１８ｃから出力された低周波信号を所定の電圧レベルに変換して低周波出力端子へ送出する出力トランス２０によって構成されている。
【００１９】
また、親機サブ基板４は、電源トランス７からＡＣ電圧を受けて美容器に必要な安定したＤＣ電圧を生成する安定化電源２１、イオン出力トランス６から出力されたイオン用の電気信号を制御する出力制御回路２２、親機メイン基板３の出力制御回路１８ｄから入力したソニック用の電気信号を出力するソニック出力回路２３、及び安定化電源２１で生成されたＤＣ電圧を子機ユニット２へ充電するための子機充電電源２４によって構成されている。
【００２０】
また、子機ユニット２は、ＥＭＳ用の電気信号を生成する回路を含む主回路が形成されている子機メイン基板３０と繰り返し充電ができるニカド電池３１とによって構成されている。さらに、子機メイン基板３０は、電源スイッチや各種モードを切り替えるための切替スイッチなどを備えるスイッチ回路３２、子機ユニット２の各部の制御を行うマイクロコンピュータ３３、ＥＭＳ美容機能の動作状態を表示する液晶表示部３４、警報や使用終了などを報知するブザー回路３５、ＥＭＳ用の電気信号の基準周波数の信号を生成する発振子３６、美容器の子機ユニット２の使用開始時にリセットを行うリセット回路３７、子機ユニット２を親機ユニット１の充電端子に接続したときにニカド電池３１の充電制御を行う充電制御回路３８、ＥＭＳの美容機能に必要な電気信号の出力レベルを設定する出力レベル変換回路３９、ＥＭＳ用の電気信号を制御する出力制御回路４０ａ，４０ｂ、出力制御回路４０ａから出力されたＥＭＳ用の電気信号を定電流化してＣＨ１（チャネル１）のＥＭＳ出力端子へ送出する定電流回路４１ａ、出力制御回路４０ｂから出力されたＥＭＳ用の電気信号を定電流化してＣＨ２（チャネル２）のＥＭＳ出力端子へ送出する定電流回路４１ｂ、及びＥＭＳ用の電気信号を所望の電圧に昇圧する昇圧回路４２によって構成されている。
【００２１】
図３は本発明における美容器の外観図斜視図である。また、図４は図１、２に示す美容器の付属品であるウエスト用ＥＭＳベルトの外観図であり、（ａ）は身体に接触する面である裏面、（ｂ）は表面を示す。なお、付属品のＥＭＳベルトは、図３に示すウエスト用ＥＭＳベルト以外に、腕用ＥＭＳベルト、足用ＥＭＳベルト、及びアース用ＥＭＳベルトがある。また、（ｃ）は図３に示す美容器の付属品であるソニックプローブの外観図である。図３に示すように、本発明の美容器５０は可搬型のケースに親機ユニット１と子機ユニット２が収納され、さらに、付属品収納部５１には、図３（ａ）（ｂ）に示すようなウエスト用ＥＭＳベルトと図示しない腕用、足用、アース用の各ＥＭＳベルト、（ｃ）に示すようなソニックプローブ、及び図示しないイオンマットなどが収納されている。また、ケースの収納部には電源コード５２が収納され、ケースの蓋側にはミラー５３が取り付けられている。
【００２２】
図５は、親機ユニットと子機ユニットの充電電極部分の接続状態を示す部分構造図であり、（ａ）は子機ユニットを親機ユニットの収納部へ収納する途中の状態、（ｂ）は収納後の状態を示している。子機ユニット２を親機ユニット収納部１ａへ収納すると図示しない親機ユニットと子機ユニット２の充電電極は自動的に接続される。すなわち、図５（ａ）に示すように、親機ユニット収納部１ａから先端部が「への字」の形状をした細いコイルバネのバネ電極６１が子機ユニット２の収納部側へ突出している。なお、バネ電極６１の一端はストッパ６８で図示しない親機ユニット側に固定されている。一方、子機ユニット２の底部の対応位置には平板の充電電極６２が固着されている。また、親機ユニット収納部１ａの一方の側面（図の右側面）からバネ６４で押圧された移動爪６３が子機ユニット２の収納部側へ突出している。さらに、親機ユニット収納部１ａの他方の側面（図の左側面）から固定爪６６が子機ユニット２の収納部側へ突出している。
【００２３】
したがって、図５（ａ）のように、子機ユニット２の上部を持って親機ユニット収納部１ａへ挿入すると、移動爪６３の先端の傾斜が子機ユニット２の角で押されて移動爪６３は図の右方へ移動する。さらに、子機ユニット２を挿入すると、図５（ｂ）のように、移動爪６３はバネ６４の押圧力で子機ユニット２の凹部６５ａへ飛び出す。また、このように子機ユニット２が挿入された状態では、図の左方の固定爪６６も子機ユニット２の凹部６５ｂへ僅かに突出する。よって、子機ユニット２は親機ユニット収納部１ａへ安定して収納される。
【００２４】
また、図５（ｂ）のように子機ユニット２が親機ユニット収納部１ａへ完全に収納されると、子機ユニット２の充電電極６２がコイルバネになったバネ電極６１を押圧しながら接触するので、バネ電極６１と充電電極６２は安定的に接触する。このとき、親機ユニット収納部１ａの底部には複数箇所に突起６７ａ，６７ｂが設けられているので、突起６７ａ，６７ｂが子機ユニット２の底面に当り、子機ユニット２の充電電極６２がバネ電極６１を最適な接触状態となるように押し込む。なお、子機ユニット２を親機ユニット収納部１ａから取り出す場合は、親機ユニット収納部１ａと子機ユニット２との間の僅かなクリアランスの範囲で子機ユニット２を動かすと、固定爪６６が凹部６５ｂから外れると共に移動爪６６が凹部６５から外れるので、子機ユニット２を親機ユニット収納部１ａから容易に取り出すことができる。
【００２５】
次に、本発明における美容器の動作について説明するが、まず、親機ユニット１の動作について説明する。親機ユニット１は、ＥＭＳ機能とソニック機能と電位式イオン機能とを備えているので、図１に示すように、ＣＨ１，ＣＨ２の２つのＥＭＳ出力端子と、１つのソニック出力端子と、１つのイオン端子が設けられている。したがって、ＣＨ１のＥＭＳ出力端子と低周波出力端子に図４に示すようなウエスト用ＥＭＳベルトの電極を接続し、親機ユニット１を電源起動すれば、発振子１４、マイクロコンピューター１１、出力レベル変換回路１６、出力制御回路１８ａ，１８ｃ、定電流回路１９ａ、安定化回路２１、及び出力トランス２０などの制御によってウエスト用ＥＭＳベルトに所望の周波数の電気信号（つまり、パルス信号）を送出することができる。
【００２６】
これによって、人体のウエストにウエスト用ＥＭＳベルトを装着すれば、ウエスト用ＥＭＳベルトを介してウエストの所定の部位にＥＭＳが作用する。また、スイッチ回路１０のＥＭＳのモードスイッチを操作することにより、マイクロコンピューター１１の制御によってパルス信号のレベルをＵＰ／ＤＯＷＮさせることができるので、ＥＭＳの強弱の程度を任意に可変させることができる。同様にして、ＣＨ２のＥＭＳ出力端子と低周波出力端子に例えば腕用ＥＭＳベルトを接続すれば、前述と同様な動作によって、腕用ＥＭＳベルトに所望のパルス信号を送出して腕に所望のＥＭＳを作用させることができる。足用ＥＭＳベルトをＣＨ１またはＣＨ２のＥＭＳ出力端子に接続しても、同様にＥＭＳを作用させることができる。
【００２７】
また、親機ユニット１のソニック出力端子とソニックグランドとの間に図４に示すようなソニックプローブを接続して親機ユニット１を電源起動すれば、発振子１４、マイクロコンピューター１１、出力レベル変換回路１６、出力制御回路１８ｄ、安定化回路２１、及びソニック出力回路２３などの制御によってソニックプローブへ所望のソニック用の電気信号を送出することができる。これによって、人体の所望の部位にソニックプローブを当てれば、その部位を毎秒１００万回のミクロマッサージ波で刺激してミクロマッサージを行うことができる。また、スイッチ回路１０のソニックのモードスイッチを操作することにより、マイクロコンピューター１１の制御によってソニック用の電気信号の周波数やレベルをＵＰ／ＤＯＷＮさせることができるので、ミクロマッサージ波の強弱の程度を任意に可変させることができる。なお、ソニックプローブは親機ユニット１のソニックセンス端子にも接続されているので、ソニックプローブ接続チェック回路１７によってソニックプローブが正常に接続されているか否かをチェックすることができる。
【００２８】
また、親機ユニット１のイオン出力端子にイオンマットを接続して親機ユニット１を電源起動すれば、発振子１４、マイクロコンピューター１１、イオン出力トランス６、及び出力制御回路２２などの制御によってイオン用の電気信号を送出し、イオンマットへ高電圧を印加することができる。したがって、布団、ベット、またはカーペットなどの上にイオンマットを敷いてその上に人が寝ると、イオンマットに印加された高電圧によって人体が帯電し、マイナスイオンによって電位式イオン美容作用が得られる。もちろん、イオンマットを椅子やソファに敷いたり顔に当てればその部位の肌に電位式イオン美容の効果をもたらすことができる。
【００２９】
なお、ＥＭＳ機能、ソニック機能、及び電位式イオン美容機能の動作状態は液晶表示部１２に表示されるので、ユーザーは、液晶表示部１２の表示内容を見ながらスイッチ回路１０の各部モードスイッチを操作して、所望の機能の切り替えやレベルの可変を行うことができる。また、スイッチ回路１０にはタイマースイッチが設けられているので、タイマースイッチによって各機能の継続動作時間を任意に設定することができる。さらに、各機能の動作がタイムアップしたときや美容器の動作が異常になったときにはブザー回路１３によって所定の報知が行われる。また、美容器の動作を開始するときはスイッチ回路１０のＰＯＷＥＲスイッチをＯＮするが、このとき、リセット回路１５の動作によってマイクロコンピューター１１は初期状態にリセットされる。
【００３０】
また、子機ユニット２が親機ユニット１の収納部に収納されているときは、親機ユニット１と子機ユニット２の充電端子が接続されているので、プラグ９が壁のコンセントに接続されていれば、親機ユニット１が動作しているか否かに関わらず子機ユニット２のニカド電池３１を充電することができる。このとき、親機サブ基板４の安定化電源２１と子機充電電源２４によってニカド電池３１を定電圧充電することができる。
【００３１】
なお、ＥＭＳ機能、ソニック機能、及び電位式イオン美容機能の組み合わせ動作については、安全上の理由から、電位式イオン美容機能とソニック機能の組み合わせ、及び電位式イオン美容機能とＥＭＳ機能の組み合わせは禁止されている。すなわち、イオンマットに高電圧が印加されている状態で超音波振動板やＥＭＳの電極に触れることがないように使用状態が制限されている。ただし、将来、電気的な安全対策が充分に施されれば、これらの機能の組み合わせ使用も可能となることもある。
【００３２】
次に、子機ユニット２の動作について説明する。ＥＭＳベルトは身体の特定部位だけに用いられることが多いので、図２に示すように、本発明の美容器には親機ユニット１から自在に着脱できる子機ユニット２が付属装置として付設されている。したがって、子機ユニット２はＥＭＳ機能のみを備え、図２に示すようにＣＨ１，ＣＨ２の２つのＥＭＳ出力端子が設けられている。例えば、ＣＨ１のＥＭＳ出力端子に図３に示すようなウエスト用ＥＭＳベルトの電極を接続すれば、子機ユニット２はニカド電池３１を電源として、発振子３６、マイクロコンピューター３３、出力レベル変換回路３９、出力制御回路４０ａ、定電流回路４１ａ、及び昇圧回路４２などの制御によってウエスト用ＥＭＳベルトに所望のパルス信号を送出することができる。
【００３３】
これによって、人体のウエストにウエスト用ＥＭＳベルトを装着すれば、ウエスト用ＥＭＳベルトを介してウエストの所定の部位にＥＭＳが作用する。また、スイッチ回路３２のＥＭＳのモードスイッチを操作することにより、マイクロコンピューター３３の制御によって所定周波数のＥＭＳ用の電気信号（つまり、パルス信号）のレベルをＵＰ／ＤＯＷＮさせることができるので、ＥＭＳの強弱の程度を任意に可変させることができる。同様にして、ＣＨ２のＥＭＳ出力端子に例えば足用ＥＭＳベルトを接続すれば、前述と同様な動作によって、足用ＥＭＳベルトに所望のパルス信号を送出して足に所望のＥＭＳを作用させることができる。腕用ＥＭＳベルトを接続した場合も同様にしてＥＭＳを作用させることができる。
【００３４】
なお、子機ユニット２のＥＭＳ機能の動作状態は液晶表示部３４に表示されるので、ユーザーは、液晶表示部３４の表示内容を見ながらスイッチ回路３２のスイッチを操作してＥＭＳ機能のレベル可変を行うことができる。また、ＥＭＳ機能の動作がタイムアップしたときや美容器の動作が異常になったときにはブザー回路３５によって所定の報知を行う。なお、美容器の動作を開始するときはスイッチ回路３２のＰＯＷＥＲスイッチをＯＮするが、このとき、リセット回路３７の動作によってマイクロコンピューター３３は初期状態にリセットされる。また、充電制御回路３８はニカド電池３１の充電制御を行う。
【００３５】
次に、本発明の美容器の具体的な操作の一例を説明するが、最初に親機ユニットの操作について説明する。図６は、本発明の美容器における親機ユニットの表面パネルを示した図である。図６に示すように、親機ユニットの表面パネルには、ソニック機能の操作と表示を行うソニック操作・表示部７１、ＥＭＳ機能の操作と表示を行うベルト用ＥＭＳ操作・表示部７２、電位式イオン美容機能の操作と表示を行うイオン操作・表示部７３、タイマーを設定したりカロリー計算をしたりして表示を行うタイマー／カロリー操作・表示部７４、及び親機ユニット１のＯＮ／ＯＦＦ操作を行うＰＯＷＥＲ釦７５を備えている。
【００３６】
ソニック操作・表示部７１には、ドレナージュとトーニングのソニックモードを切り替えるソニックモード釦７６、ソニック出力のＯＮ／ＯＦＦと強・中・弱の切り替えを行うソニック出力釦７７、ソニックプローブのソニックＥＭＳ出力レベルを上下に調節するソニック／ＥＭＳ釦７８、ソニックＥＭＳレベルを表示するソニックレベルインジケータ７９、及びソニックプローブから出力するＥＭＳの強さを表示するソニックＥＭＳレベル表示器８０を備えている。
【００３７】
ベルト用ＥＭＳ操作・表示部７２は、ＥＭＳモードのプログラムを切替選定するＥＭＳモード釦８１、ＣＨ１（チャネル１）のＥＭＳ出力レベルを上下に調節するＥＭＳ１釦８２、ＣＨ２（チャネル２）のＥＭＳ出力レベルを上下に調節するＥＭＳ２釦８３、ベルト用ＥＭＳのプログラムモードを数字で表示するＥＭＳモード表示器８４、ＣＨ１（チャネル１）のベルト用ＥＭＳの出力レベルを表示するＥＭＳ１レベル表示器８５、及びＣＨ２（チャネル２）のベルト用ＥＭＳの出力レベルを表示するＥＭＳ２レベル表示器８６を備えている。
【００３８】
イオン操作・表示部７３は、イオンマットのＯＮ／ＯＦＦと強・中・弱の切り替えを行うイオン釦８７とイオンマットの出力レベルを表示するイオンレベルインジケータ８８とを備えている。また、タイマー／カロリー操作・表示部７４はソニックモード、ＥＭＳモード、及び電位式イオン美容モードの動作時間を設定するタイマー釦８９とタイマー時間またはカロリー値を切り替えて表示するタイマー／カロリー表示器９０とを備えている。
【００３９】
次に、図６に示す親機ユニットの表面パネルの操作について説明する。まず、ソニック機能のみの操作を行うときは、図４に示すソニックプローブのプラグを親機ユニット１の所定の位置に差し込んでＰＯＷＥＲ釦７５をＯＮする。次に、ソニックモード釦７６を押してソニックモードをドレナージュとトーニングの何れかに選択し、ソニックレベルインジケータ７９を見ながらソニック出力釦７７を押してソニックレベルを強・中・弱の何れかに設定する。さらに、ソニック／ＥＭＳ釦７８を押してソニックプローブのソニックＥＭＳ出力レベルを所望の値に調節する。このとき、ソニックＥＭＳ出力レベルはソニックレベルインジケータ７９に表示される。これによって、ソニックプローブを身体の所定の部位に当てればその部位にソニック作用を呈することができる。
【００４０】
次に、ＥＭＳ機能のみの操作を行うときは、ウエスト用ＥＭＳベルト、腕用ＥＭＳベルト、足用ＥＭＳベルトの何れか１種類または２種類を親機ユニット１の所定の位置に接続してＰＯＷＥＲ釦７５をＯＮする。次に、ＥＭＳモード釦８１によってＥＭＳモードのプログラムを切替選定する。ＥＭＳモードはパルスの振動周波数やインターバルなどによって１０段階のプログラムに設定することができる。また、各プログラムはＥＭＳモード表示器８４によって数字で表示される。その後、ＥＭＳ１釦８２またはＥＭＳ２釦８３の何れかまたは両方によってＥＭＳ出力レベルを所望のレベルに調節する。なお、ＥＭＳ出力レベルはＥＭＳ１レベル表示器８５、ＥＭＳ２レベル表示器８６に表示される。また、必要に応じてタイマー釦８９によってＥＭＳの運転時間を任意に設定することができる。これによって、ＥＭＳベルトを身体の所定の部位に当てればその部位にＥＭＳ作用を呈することができる。また、タイマー釦８９によってタイマー時間表示からカロリー値表示に切り替えておけば、ＥＭＳ通電後にＥＭＳによって消費したカロリー値をタイマー／カロリー表示器９０に表示させることができる。
【００４１】
次に、電位式イオン美容の機能のみを行うときは、イオンマットをベットや椅子などの所定の場所に敷き、イオンマットの端子を親機ユニッチ１の所定の位置に接続してＰＯＷＥＲ釦７５をＯＮする。次に、イオン釦８７を操作してイオンマットの出力レベルを強・中・弱の何れかに切り替える。このとき、イオンマットの出力レベルはイオンレベルインジケータ８８に表示される。さらに、タイマー釦８９によって電位式イオン美容の運転時間を任意に設定する。なお、電位式イオン美容の運転時間はタイマー／カロリー表示器９０に表示される。これによって、イオンマットの上に身体を置けば所定の部位について電位式イオン美容作用を呈することができる。
【００４２】
また、ＥＭＳ機能、ソニック機能、及び電位式イオン美容機能を組み合わせて動作させる場合は、上記の各機能の操作のうち重複していない操作を複合的に行えばよいことは云うまでもない。なお、本発明の美容器においては、安全上の理由から、電位式イオン美容機能とソニック機能の組み合わせ、及び電位式イオン美容機能とＥＭＳ機能の組み合わせはできないようにロック機構が設けられている。
【００４３】
次に、本発明の美容器における子機ユニットの操作について説明する。図７は、本発明の美容器における子機ユニットの表面外観図である。子機ユニット２は、身体の特定部位に取り付けられたＥＭＳベルトの近くまで移動させて操作ができるように、親機ユニット１から自在に着脱できる構造になっている。すなわち、子機ユニット２は、ＥＭＳ機能のみを備えて内部の二次電池（例えば、ニカド電池）によって動作できるようになっている。
【００４４】
図７において、子機ユニット２は、子機ユニット２のＯＮ／ＯＦＦ操作を行うＰＯＷＥＲ釦９１、ＥＭＳモードのプログラムを切替選定するＥＭＳモード釦９２、ＣＨ１（チャネル１）のＥＭＳ出力レベルを上下に調節するＥＭＳ１釦９３、ＣＨ２（チャネル２）のＥＭＳ出力レベルを上下に調節するＥＭＳ２釦９４、ベルト用ＥＭＳのプログラムモードを数字で表示するＥＭＳモード表示器９５、ＣＨ１（チャネル１）のベルト用ＥＭＳの出力レベルを表示するＥＭＳ１レベル表示器９６、及びＣＨ２（チャネル２）のベルト用ＥＭＳの出力レベルを表示するＥＭＳ２レベル表示器９７、ＥＭＳ通電後のカロリー消費量を表示するカロリー表示器９８、及び電池量が不足すると点灯する電池不足表示灯９９を備えている。
【００４５】
次に、図７に示す子機ユニット２の表面パネルの操作について説明する。まず、子機ユニット２を親機ユニット１の収納部から取り出し、前述の親機ユニット１の場合と同様に、ウエスト用ＥＭＳベルト、腕用ＥＭＳベルト、足用ＥＭＳベルトの何れか１種類または２種類を子機ユニット２の所定の位置に接続してＰＯＷＥＲ釦９１をＯＮする。次に、ＥＭＳモード釦９２によってＥＭＳモードのプログラムを切替選定する。ＥＭＳモードはパルスの振動周波数やインターバルなどによって１０段階のプログラムに設定することができる。また、各プログラムはＥＭＳモード表示器９５によって数字で表示される。
【００４６】
その後、ＥＭＳ１釦９３またはＥＭＳ２釦９４の何れかまたは両方によってＥＭＳ出力レベルを所望のレベルに調節する。なお、ＥＭＳ出力レベルはＥＭＳ１レベル表示器９６、ＥＭＳ２レベル表示器９７に表示される。これによって、ＥＭＳベルトを身体の所定の部位に当てればその部位にＥＭＳ作用を呈することができる。また、ＥＭＳ通電後にＥＭＳによって消費したカロリー値をタイマー／カロリー表示器９８に表示させることができる。なお、ＥＭＳモード釦９２を２秒以上押すとスイッチ回路がロックされて誤操作を防止するようになっている。子機の充電については既に説明しているので重複説明は省略するが、電池量が不足すると電池不足表示灯９９が点灯するようになっている。
【００４７】
【発明の効果】
以上説明したように、本発明の美容器によれば一台の美容器に親機ユニットと子機ユニットとを備えている。そして、親機ユニットは、低周波パルスによって生体を刺激して美容トリートメントを行うパルス式美容機能と、超音波によって生体にミクロマッサージ波を与えて美容トリートメントを行う超音波式美容機能と、生体に電位を与えることによって体内にマイナスイオンを発生させる電位式イオン美容機能とを備えている。したがって、親機ユニットを使えば、美容の用途や目的に応じてそれぞれの美容機能を単独で動作させたり組み合わせて動作させることができるので、効率的かつ効果的な美容トリートメントを行うことができる。
【００４８】
また、子機ユニットはパルス式美容機能しか備えていないが、親機ユニットの収納部から取り外して自在に持ち運ぶことができるので、子機ユニットを身体の特定部位に取り付けられたＥＭＳベルトに近づけて操作することができる。これによって、ウエスト用ＥＭＳベルトや腕用ＥＭＳベルトの電極に所望のレベルの低周波パルスを与えて特定部位のみを刺激することができるので、極めて使い勝手のよい美容器を実現することができる。
【００４９】
また、本発明の美容器においては、子機ユニットの電源となる二次電池は、子機ユニットが親機ユニットの収納部に収納されていれば、親機ユニットが使用されているか否かに関わらず充電することができる。したがって、子機ユニットを常に満充電にしていつでも使用可能な状態にしておくことができるので、必要に応じて、子機ユニットだけを単独で移動して人体の所望の位置に取り付けた電極パッドに近づけ、低周波パルスを印加しながら美容トリートメントを行うことができる。
【図面の簡単な説明】
【図１】本発明の一実施形態における美容器の親機部分の回路構成を示すブロック図である。
【図２】本発明の一実施形態における美容器の子機部分の回路構成を示すブロック図である。
【図３】本発明の一実施形態における美容器の外観図斜視図である。
【図４】図２に示す美容器の付属品の外観図であり、（ａ）はベルトの身体に接触する面である裏面、（ｂ）は表面を示し、（ｃ）はソニックプローブの外観図である。
【図５】親機ユニットと子機ユニットの充電電極部分の接続状態を示す部分構造図であり、（ａ）は子機ユニットを親機ユニットの収納部へ収納する途中の状態、（ｂ）は収納後の状態を示す。
【図６】本発明の美容器における親機ユニットの表面パネルを示した図である。
【図７】本発明の美容器における子機ユニットの表面外観図である。
【符号の説明】
１…親機ユニット、２…子機ユニット、３…親機メイン基板、４…親機サブ基板、５…コネクター基板、６…イオン出力トランス、７…電源トランス、１０，３２…スイッチ回路、１１，３３…マイクロコンピューター、１２，３４…液晶表示部、１６，３９…出力レベル変換回路、１８ａ，１８ｂ，１８ｃ，１８ｄ，２２，４０ａ，４０ｂ…出力制御回路、１９ａ，１９ｂ，４１ａ，４１ｂ…定電流回路、２２…出力トランス、２１…安定化電源、２３…ソニック出力回路、２４…子機充電電源、３０…子機メイン基板、３１…ニカド電池、３８…充電制御回路、４２…昇圧回路、５０…美容器、５１…付属品収納部、５２…電源コード、６１…バネ電極、６２…充電電極、６３…移動爪、６４…バネ、６５ａ，６５ｂ…凹部、６６…固定爪、６７ａ，６７ｂ…突起、６８…ストッパ、７１…ソニック操作・表示部、７２…ベルト用ＥＭＳ操作・表示部、７３…イオン操作・表示部、７４…タイマー／カロリー操作・表示部、７５，９１…ＰＯＷＥＲ釦、７６…ソニックモード釦、８１，９２…ＥＭＳモード釦、８７…イオン釦、８９…タイマー／カロリー釦
【図１】
2005013592.tif 000003
【図２】
2005013592.tif 000004
【図３】
2005013592.tif 000005
【図４】
2005013592.tif 000006
【図５】
2005013592.tif 000007
【図６】
2005013592.tif 000008
【図７】
2005013592.tif 000009